(57)【要約】      （修正有）【課題】十一理（じゅういちり）同時のつぼ押しを備えた健康器具を提供する。【解決手段】１-１１のこぶ部をを基本形として、右側と左側に両端の輪１３を設けました。輪は、手の活躍と本体１７を活動させる。そして輪より出ている乱雑部１４は、上皮膚のお顔にフィットされる。本体カバー（布製）部１５を囲いとして、こぶ部１、２、１０、１１に及ばしカバーの固定装置１６とした。これにより本体のカバー部を止める。大動脈血流の還流と尿酸類と汗腺の発汗作用に貢献する効果を有するものである。それにより心臓の活動に貢献できるものである。【選択図】図６
2017099612.tif 000002
【特許請求の範囲】
【請求項１】
本発明は、両端部に輪の部をもち、輪の一部を開放してふさ部をもち、輪の一部より接続部を設け、こぶ部の連結を行い、外側には布製のカバーを設けた健康装置。
【発明の詳細な説明】
【技術分野】
【０００１】
本発明は、五身体「頭部、首部、胸部、手部、足部」の血液（血流）の滞る状態に向き合い、循環活動中の身体と、一定条件化に対して、循環活動に於ける疲労より始まる症候群に光明を与える方法に関する装置である。
【背景技術】
【０００２】
五身体には、一定気圧の変化や身体の長い時間の移動など、五身体の活動を押さえる方法や、移動による活力低下など、運動不足に見られる事から、各種の症候群が困窮状態となり、解除の方法が必要となって居た。
【先行技術文献】
【特許文献】
【０００３】
【特許文献１】特開２００１−２２４６５７号公報
【発明の概要】
【発明が解決しようとする課題】
【０００４】
その為に次のような問題があった。
生命体を一定時間、押えられる姿勢から発生する循環機能の血液（血流）を抑える働き方法や、血液の発汗作用の新陳代謝の活動不足など、色々な機能低下を示し、感覚の麻痺の活動に原因を発生される身体活動である。
なお、五身体に及ぶ障害を解放出来ない時より、血液の循環活動が必要になるのです。
本発明は以上の問題を解決しようとする事である。
【課題を解決するための手段】
【０００５】
本発明では、上皮膚の衣類の上より活躍される方法である。その為に静電気の発生を嫌いとし、静電気を発生させない製品である。そして活動力の万能では、地球の母が造る重力と引力に逆らわず、味方につけた、ぜん玉一番健康装置であり、「十一理（じゅういちり）。同時。つぼ押し。運動力。」を上皮膚に与えることで、三大原因「痛い原因の症候群。異常な原因の症候群。むくみ（留＋癌）の症候群。」に対応され活力の源に供給される装置である。さらに五身体は、次の解消も大事な事になる方法です。五身体「頭部、首部、胸部、手部、足部」は生命の誕生と共に新陳代謝の活動を進めて居ます。そして、新陳代謝の活動は次のようになるのです。
心臓部より配送される、大動脈血液（血流）が最先端部の足部に送られて、毛細胞の組織が構築されるのです。此の毛細胞組織では、一定周期活動「４周間工程作業」後に「離脱」活動が行われる五身体である。「４周間工程作業」後に「離脱」された老廃物「乳酸塩類が大静脈血液（血流）に吸収活動」の第１の活動と「尿酸類がリンハ系統に吸収活動」第２の活動に「汗物質、汗線は五臓六腑の器管が働く事で消費された栄養素が老廃物の第３の活動力となり、上皮膚を構築する事と、外部の障害を予防する方法である。◇汗物質は上皮膚を育てる事に体温調整を進め、又、一定周期活動に於いて「４周間工程作業後に離脱（垢、あか）され」自然界の食料になる方法である。
老廃物の第１、乳酸塩類と第２尿酸類には、次の特徴が有るのです。此の状態が五身体を悩ませるのです。
老廃物は、栄養素に豊み、固まる性質を持ち、凝縮性能を持つ事で、吸収活動中の毛細結管やリンパ管の管壁に付着されたり、固る事（癌症候群）で、三大原因を発生されるのです。
本発明は、此の様な吸収活動中の血液（血流）に補助力を与える方法であり、毛細血管内部に滞流させない為の製品である。ぜん玉一番健康装置の活躍は、次の４幸の功績を活動される方法が、大切な血液（血流）の吸収活動に幸せを与える方法である。
【発明の効果】
【０００６】
本発明は、大動脈血流の還流と尿酸類と汗腺の発汗作用に貢献する効果を有するものである。それにより心臓の活動に貢献できるものである。
【図面の簡単な説明】
【０００７】
【図１】本発明の実施形態を示す外観図
【図２】本発明を寝具に適用した状態を示す図
【図３】本発明を椅子に適用した状態を示す図
【図４】本発明を立ち姿状態で適用する方法を示す図
【図５】本発明を床に座っている状態で適用する方法を示す図
【図６】本発明の他の実施例を示す外観図
【発明を実施するための形態】
【０００８】
本発明の実施形態を、図面に基づき説明する。図１は本発明の外観図である。
１はぜん玉一番健康装置（こぶ部）、２はこぶ部とこぶ部の接続部、３は指で持つ輪、４は先端部（乱雑部）、５は布製の外周カバーである。
本発明は、五身体「頭部。首部。胸部。手部。足部。」に於いて身体活動に対して、被害が及ばない方法を前提にした。そして、五身体の内部で働く、約６５％の水分量によって、静電気の伝達力を無す方法であり、静電気の発生を嫌いとなり、静電気の発生を造らない製品である。此の状態は飛行機のコクピットに異常を与えず、一定気圧の条件に対し、効力を五身体に与えられる方法に、地球の母の活力である、「重力＋引力」に逆らわず、味方に付けた方法の採用により、五身体の新陳代謝活動と、循環活動の老廃物に向き合え、循環活動の補助役を進め、身体の症候群を解放に導く、ぜん玉一番健康装置が活躍出来る「十一理（じゅういちり）。同時。つぼ押し。運動力。」方法である。
本発明製品には、十一理（じゅういちり）。同時。つぼ押し。運動力。を持ち、腰部では半周を効率良好に導き、冷え症の股関節では、一周の活躍手法となり、右足、左足の両方に活動する事で、大切な左、右、のバランスが造れます。近年の手先の作業の疲労では、先端の輪を指に差入れ、手首に一周巻を行い他方の輪を別の指に差入れて活躍出来る方法である。栄光は、手首の一周全体に効果を与える事と左右の手首に同時間活用する事で、手首全体の大静脈血液（血流）がバランス良くなり、活動力が幸福となれる方法である。アルツハイマーやうつ病と認知症に対しては、首にハチ巻として活躍され、頸椎に頸動脈と頸静脈を一緒に活動される方法が頭の老廃物を働く姿に導き、残留されなくなる事で栄光となれる方法である。なお、腰痛とイビキの減少は、ベルトの位置の活用に於いて確認されて居ます。五身体の軽い沢は、大静脈血液（血流）から与えられる方法である。
【０００９】
睡眠中の活躍方法について、図２を使いながら説明する。
五身体に活躍手法、Ａ、心臓部より一番速い足首と足裏部から還流される大静脈血液（血流）に活動を与えます。（幸）足元の吸収活動に効力を示し、大静脈血液（血流）が肺に届き、肺胞の左側で濾過工程作業が行なわれ、炭酸ガス分子の排出が出来るのです。そして、右側の肺に送られた大静脈血液（血流）肺静脈として働き方を進め、右側の肺法では、大気中の空気を取り入れ濾過工程作業を行い、酸素分子を取り入れる方法です。そして肺動脈血液が造られて心臓部に届くのである。肺動脈に加わる食料＋水分子（体内で働く約６５％）も同時進行となって、大動脈血液（血流）が心臓部のポンプの圧力により配送される五身体である。
大静脈血液（血流）は、どこから吸収活動力を与えられるのか検証します。五身体は、五臓六腑の器官が働く事で蠕動運動（ぜんどううんどう又はもぐもぐ運動）に活力を与えられ吸収活動が力強く働きます。そして、循環活動の光明がなされます。
吸収活動中の異変には、老廃物の強い力が有り、此の強い力量が管壁部に付着され、痛い原因。異常な原因。さらに、むくみ（留＋癌）の原因となり悩みとなります。
疲れの原因。五臓六腑の器官が働く事で、疲れの症状が発生します。そして疲れの症状が重なりますと疲労となり、（休息）が必要になるのです。それより疲労が重なりますと症候群を発生されるのです。症候群では、（水分補給や食量の補給）対応が必要となります。症候群が重なる事で病いの症状が起きる方法であり、病いの症状が重なりますと、病気の症状となる五身体である。此の結果、疲れより初まる症候群の対策対応が最も大切になり、重要な予防線となるのです。その為に開発された本発明品。ぜん玉一番健康装置であり、「十一理（じゅういちり）。同時。つぼ押し。運動力。」知る活動が、疲れと疲労＋症候群＝解放に結び付く方法である。
Ｂ、腰の痛みとイビキの同時開示。ベルトの位置より栄光です。
Ｃ、膝部の活力、膝部に巻き付け。１夜の活動と共に右膝と左膝に活躍
Ｄ、足と手部では左右の活躍の効果作り。
Ｅ、四十肩では、痛い肩部に３夜の活躍と、左側肩部に１夜の栄光。
Ｆ、肩部の痛い症状には、四十年の老廃物の層が残留される原因。
Ｇ、首部にハチ巻き効果。うつ病、アルツハイマー、認知症に１夜の栄光。
Ｈ、頭痛と頭の活躍。マクラの上に円形に置き、１夜の栄光。
Ｉ、おなか、胸に活力。おなかの上と胸の上に乗せ、１夜の食べ過ぎ。
Ｊ、手首の疲労。指に先端の輪を差し入れ、手首に活力。左、右手に同じ時間の活躍。
パソコン、ピアノ、スマートホン等。左、右、のバランスが必要。
Ｋ、お顔に活力。先端部を活用し、額、ほほ、あご、と首に耳の周りに栄光。
お顔では、化粧中は後回しです。静脈血液（血流）活動推進。
Ｌ、冷え症、便秘、尿漏れ、股部の左側、右側に一結び（ななめ方向）
１夜の活躍。股部の活力作り。
【００１０】
椅子に座り活躍させる方法について図３を使いながら説明する。
本発明は椅子に座る姿より活躍
Ａ、運転手や乗物中に、イネムリ運転防止方法。
Ｂ、エコノミークラス症候群、対策、対応。
１  椅子に座り、おしりの外側に本製品を付け、おしりの圧力低下に効果。
２  腰部に巻き、腰の軽さ造り。栄光。
３  肩部より背中に下し、背骨の新陳代謝活動。
４  肩部からワキの下部に一結び、肩痛効果、左側、右側え両肩のバランス造り。
５  頭にハチ巻、スルスル回転力の活力作り。
６  足の膝部（オートマチック車）節肉部に効果。左膝、右膝。
７  足裏部に丸型に置き、足裏部の活力。
外反母趾と魚の目、タコは栄養不足。６カ月の効力。
８  五身体の脇腹にスルスルスルと活力作り、３分間。
９  お顔の運動。化粧中は後回しです。
本製品。ぜん玉一番健康装置、お手入れ方法。水洗い洗濯ＯＫ。お湯洗い付加。
【００１１】
立姿による活躍方法について図４を使いながら説明する。
本発明は立姿による活躍
１  立姿による外反母趾と魚の目にタコの原因。
毎朝、起床と共に床面に円形にした本製品を置き、その上に足裏部を３分間乗
せた活動です。６ケ月間の血流対応方法。
２  立姿では、上より足迄と脇腹部に活力を与える方法。
五身体の活躍が栄光に導く方法。
【００１２】
畳＆床に座り活躍方法について図５を使いながら説明する。
本発明は畳＆床に座り活躍。
１  背中に活力。本製品、ぜん玉一番健康装置をＳ字形にし畳面に置き、背中をその上に乗せますと、（約２０分）背中全体を一気に解放する方法である。又、此の所にお尻を乗せる方法（約５から１０分）と、足の節肉部に効果を与えられ、さらに、一番速い足裏部の活動を必要とする方法である。
２  床に座り、足の甲部（爪部）より、順次脚の上部に活力を進め、脇、腹と、脇部に活力を与えますと、上皮膚の大静脈血液（血流）の活動が進み、汗が発汗出来る方法である。此の結果、コップ１杯の水分補給をする事で、新陳代謝活動の栄華が光明となれる五身体である。さらに、ぜん玉一番健康装置では、地球の母の活力である、重力と引力に逆らわず、味方に付けた、活動方法と、静電気の発生を嫌い、静電気の発生を無した装置である。
その為に「ゆっくり」と、大静脈血液（血流）の働きに補助活動が与えられる方法である。
【００１３】
本発明を実施した後は、発汗作用が生じるためにコップ１杯の水を補給することが望ましい。それにより新陳代謝活動が正常にあるいは活発に働くようになるものである。
【００１４】
次に、第２の実施例について図６に基づき説明する。図６にあるように（１７）の本体構造を持ち、（１）（２）（３）（４）（５）（６）（７）（８）（９）（１０）（１１）を基本形として、十一理（じゅういちり）同時のつぼ押しを備えた健康器具である。また、五身体内部で働く心臓部のペースメーカーに静電気の電磁波を与えないことと、地球の母が造る重力・引力等に逆らわず、味方に付けた健康器具である。（１２）の接続方法を持ち、（１３）右側、（１３）左側に両端の輪を設けました。（１３）の輪は、手の活躍と（１７）本体を活動させる輪です。そして（１３）より出ている（１４）乱雑部には、上皮膚のお顔にフィットされる方法であるのです。そして（１５）本体カバー（布製）部を囲いとして、（１）（２）（１０）（１１）部に及び、（１６）カバーの固定装置とした。これは（１７）本体のカバー部を止める方法である。なお、（１７）本体は、五身体（頭、首、胸、手、足）における曲部や、角部と、丸み、谷部、直線部等、正常な姿の働きとなる方法を示し、健康体の老廃物を吸収活動の悩みより解放させるぜん玉一番健康具である。
【００１５】
図６の（１７）健康具を活用し、大切な五身体が活躍することで、消費活動の栄養素に老廃物となる物質が発生します。３大原因は、このような姿の活動から始まり、痛い原因の症候部と、異常な原因の症候部にむくみの原因の症候部が発生し、還流活動を阻害し、困窮されるのである。本発明は、還流活動の老廃物（大動脈血液・血流）と（尿酸類）
に（汗腺二汗）に対して、補助を睡眠中に貢献される方法である。本発明では、身体活動が熱くなることで発汗作用が発生し、コップ一杯の水の補給が必要になるのです。水分補給をすることで、失われた汗の補充が健康です。
【００１６】
図２を使いながらこの実施例の睡眠中の活躍方法を説明する。（１）足首は、心臓部より一番離れていることで、老廃物の還流活動が異常原因となって、三大原因の悩みとなるのです。（１）足首を（１７）の上に置き、一中夜（朝まで）の活躍を進め、足の軽い状態に向かえる方法。（２〜３）では股関節部から始まり、右側の股部に斜めの活動と左側の股部に活躍されますと、左と右のバランスを正常に向かい、膀胱部の活力づくりに向かいます。（４）は腰痛とイビキの解消を進める方法。（４）は布団の腰のところまで直進しておき、その上に腰部を似せる方法である。効力は腰の疲れと痛いのを対応され、イビキ・無呼吸症候群同時に効果がみなされる方法である。（５）は布団又は畳の上に（１７）本製品をＳ字形に置き、その上部に背中と背骨を乗せ、５分から２０分新陳代謝活動に貢献される方法と、同時にお尻を１０分間乗せる方法お尻の圧力低下。（６）は肩痛に対応し、五十肩痛、四十肩痛の活躍方法。痛い側の肩部に一巻を行い、（三中夜）の活動を進め効果が出ましたら、４日目に痛くない肩部に（一中夜）行い、左右のバランスを保ちます。（三中夜）では効力が少ないときには、（二中夜）の追加が必要となり、正常な肩部に（一中夜）進め、左右のバランスを保つ方法。（７）首部の活躍方法。（一中夜）（７）では首部に巻き、胸の前に一結びとして活用され頸動脈・頸静脈・頸椎等の効率を与える方法がうつ病や認知症等を予防する方法である。また胸の前では肺の活力造りとなれるのです。
（８）は頭痛や偏頭痛の効力造り。枕の上に（１７）の本体を円形に置き、朝まで頭を乗せる方法である。頭の活力造り。（９）は睡眠中に（１７）本体を胸の上に置き、肺活量の正常化や乳房のしこり対応する方法。（１０）はおなかの上、（１７）本体をおなかの上に乗せ、（一中夜）活動させ、大腸及び五臓六腑の新陳代謝活動に効力造り。（１１）手首・指・肘の対応である。（１７）本体の輪を指に差し入れ、手首に巻き、別の輪を別の指に差入れた方法である。腕部の一周より、老廃物の還流活動を進め、疲労と手首痛の解消ができ、肘部にも同様に巻きつけ効力を与えます。左右の両手に同じ時間の活躍を進め、左右のバランスを保ちます。（１２）足裏・足の甲・膝や外反母趾の栄養不足と魚の目・タコの原因に同時に対応させる方法。（１７）本体を円形に床に置き、その上部に毎朝（２・３分）乗る活動を進めます。そして足裏部の活力を行い、外反母趾の対応に魚の目対応とタコ原因の対応を進め、血液（血流）の循環活動の活躍方法である。（１３）脇部・脇腹は、（１７）本製品を二つ折りにして活用されます。（１７）を活用し、足の横、脇腹に、順次つぼ押し、運動力を進めることで脇部の静脈血液と尿酸類が活動され、発汗作用がすくれる方法である。
【００１７】
図面３を使いながら本実施例の椅子に座り活躍させる方法を説明する。（１）頭に活力方法。（１７）本製品を円形に丸くして、頭の上と後頭部まで回転させる方法である。新陳代謝の活動。（２＋３）首の後側より（１７）の本体を前に下し、先端の房と輪の活用をお顔に与えます。お顔と首部の新陳代謝。（４）両手に活力（１７）の輪を指に差し入れた活動方法。左、右のバランス解消。肩部では、（１７）を左側の肩より右の脇下に下し、一結びして肩痛を軽くする方法。右側の肩こり解放、左右のこり解消方法。（５）椅子に座り、背中、背骨に新陳代謝。（１７）本体を肩部より背中に下し、椅子の背もたれに合わせた活力造りの方法。（６）は（１７）を小さく丸め、胸とおなかに活力を与えます。上皮膚の活力方法。胸とおなかの効果。（７）は（１７）本体を腰の後より前に回し、腰の疲れと腰の痛い状態に解消。（８）では（１７）本体をお尻の外側に付け、十一理同時、つぼ押し、運動力によりお尻の圧力低下を示し、便秘・冷え性の対策方法である。（９）は膝部のむくみと膝痛に効力を与える方法。（１７）の本体を右足の膝部に巻き、膝部に十一理のつぼ押し・運動力を３０分から２時間与え、老廃物の還流活動を進行させる方法である。（１０）は床に丸くした（１７）本体を置き、足裏部の血行推進活動を進める方法。同時に外反母趾の活力造りに効果。（１１）は（１７）本体を二つ折りにして、脇腹と肘に活力を与える方法である。老廃物の大静脈血流を吸収活動中に残留させない方法であり、ぜん玉一番健康具の活動力である。
【００１８】
次に図４を使いながら本実施例の立姿の活躍方法を説明する。（１）立姿の活躍方法では、（１７）本製品の活力造りとなる、静電気の発生する条件を嫌い、静電気を発生させない効果を与え、上皮膚の衣類の上より活躍され、地球の母が造る重力と引力に逆らわず、味方に付けた方法の採用である。そして、老廃物の還流活動に光を当てますと、心臓部に戻る静脈流が正常な働きを推進させる本製品である。（１）は心臓より離れているために還流活動が遅遅（ちち）の反応を押さえることで活動不足が起きる方法である。（１）大切な足を守る活動力を示します。（２）では膝部の疲労と膝痛に対して活動され、老廃物の返る活動を両足の膝より解放される方法である。（３）は腰の疲労回復となる方法である。（４）では（１７）本体を二つ折りにして、胸と脇に活動力を与え、新陳代謝活動に貢献される方法である、（４）は手の働きと肘部と肩部に活力を与え、両手、両肘、両肩に輝きを与える方法である。（５）は（１７）本体を首に付け、胸の活力とお顔の活力に頸動脈と頸静脈に活動されますと、うつ病や認知症に対して貢献される方法である。（６）は（１７）本体を丸く円形にし、頭部と後頭部に活力を与える運動力の対策、対応の方法です。
【００１９】
次に図５を使いながら本実施例の畳と床での活躍方法を説明する。五身体（頭、首、胸、手、足）を床に置き活躍させる方法。（１）では（１７）本体を手に持ち背中の上皮膚に衣類の上部よりつぼ押し運動力を与える方法です。ここでは、たすき掛けの活用と、平行な働く動作を混合し、背中の活力造りを進めます。（２）では頭の後や頭の上から（１７）本体を活動することと耳の周りにも活力を与えます。（３）では首とお顔に胸の働きを進め、（１７）本体をつぼ押しすることで首とお顔と胸の活力である。そして水分の補給をすることで新陳代謝の活動が輝きを与えます。（４）では腰部に（１７）本体を巻き付け、十一理同時につぼ押し・運動力を腰部に与え、腰とおなかに活力を与えるぜん玉一番健康具（１７）の本体である。（５）では冷え性、便秘、尿失禁に対応され、（１７）本体を股部の右側に３０分から１時間の活用と同様に、左側の股部にも同じ時間を活用され、左右のバランス効果を与える方法である。（６）では膝の疲労と膝のむくみ痛に対応され、左足に右足のバランス圧力を与える方法である。（７）では床に置いた（１７）本体を丸くされ、足裏の活動力を進め、足の甲部、爪の運動が大切である。（８）ではお尻の外側に（１７）本体を回し、お尻の圧力低下の推進である。人間は生命の誕生と共に生きる生産活動をしています。そして心臓から送られた血液が動脈であり、毛細胞の組織を造ります。この毛細胞組織では４週間工程作業後に離脱される毛細胞が発生され、「老廃物」の名前になり、乳酸塩類が静脈血液（血流）として働きを進め、吸収活動が必要になるのです。また尿酸類は、リンパ系に吸収活動され、膀胱部から排泄される方法である。汗物質は、五臓六腑の機関が働く活動をすることで、上皮膚に届けられ、上皮膚を育て、守る働きを進め、体温調節をしています。さらに汗にも４週間工程作業後に上皮膚から離脱され、自然界の食料になるのです。大静脈血液と尿酸類は、五臓六腑の蠕動運動から活力をいただき、吸収活動を進める方法である。このときに力強い老廃物では栄養素を持ち、固まる性質と凝縮性能を備えているために吸収活動中の毛細血管の管壁に付着されたり、固まる状態を造ります。エコノミークラス症候群や三大原因として、痛い原因、異常な原因、むくみ（瘤＋癌）を発生させ、悩みの五身体である。そして、大静脈血液（血流）は肺に届き、肺胞の働きにより、炭酸ガス分子の排出を行い、右の肺では空気を取り入れ、酸素の取入れを進め、肺動脈血液（血流）となって心臓部に送られます。このときに食物＋水分子（体内に約６５パーセント）が加わって、心臓部より最先端の爪と毛まで送られます。ぜん玉一番健康具の十一理同時つぼ押し運動力は老廃物の吸収活動に輝きを与える方法である。
【符号の説明】
【００２０】
１  ぜん玉一番健康装置。こぶ部
２  こぶ部とこぶ部の接続部
３  指で持つ輪
４  先端部  乱雑部
５  外周カバー布製
【図１】
2017099612.tif 000003
【図２】
2017099612.tif 000004
【図３】
2017099612.tif 000005
【図４】
2017099612.tif 000006
【図５】
2017099612.tif 000007
【図６】
2017099612.tif 000008